Podtech/llm-jp-corpus-v4-ja_patent huggingface dataset:
(57)【要約】【課題】エンドレスのベルトであっても測定用にカットすることなくそのままの状態で、Ｖベルト側面の角度の測定を行うことができ、測定作業もごく簡単なものとすることができるＶベルト角度測定用治具を提供する。【解決手段】Ｖベルト７の側面角度を三次元測定機にて測定するための治具であって、エンドレスのＶベルトの測定する側を動かないように固定配置する測定台３と、測定に用いない側を収容する収容部５を有しており、測定台３にＶベルト１を固定する固定具６を具備している。【選択図】      図３
0003125253.tif 000002
【実用新案登録請求の範囲】
【請求項１】
Ｖベルトの側面角度を三次元測定機にて測定するための治具であって、エンドレスのＶベルトの測定する側を動かないように固定配置する測定台と、測定に用いない側を収容する収容部を有することを特徴とするＶベルト角度測定用治具。
【請求項２】
Ｖベルト角度測定用治具は支持台に脚部を介して測定台を取り付けた構成からなり、支持部と測定台との間の空間を収容部とした請求項１記載のＶベルト角度測定用治具。
【請求項３】
支持台と脚部と測定台とが断面略コ字形状となるよう配置され、それらで取り囲まれた収容部を形成してなる請求項１〜２記載のＶベルト角度測定用治具。
【請求項４】
Ｖベルトを測定台に固定配置する固定手段を有する請求項１〜３記載のＶベルト角度測定用治具。
【考案の詳細な説明】
【技術分野】
【０００１】
Ｖベルトの側面角度を測定する際に用いられるＶベルト角度測定用治具に関するものであり、ベルトをカットして測定のサンプルとすることなく、エンドレスのままで三次元測定機にてごく簡単に測定することができる治具に関する。
【背景技術】
【０００２】
従来Ｖベルト側面角度の測定方法としては、例えば特許文献１に示すような投影機を用いて測定する方法があり、ベルトを測定するためにカットサンプルを作成し、断面形状を投影することによって角度を測るといった方法であった。
【０００３】
ところが、特許文献２に示すようなセンターベルトに複数の樹脂製ブロックを装着したようなＶベルトの場合、センターベルトに組み付ける前のブロック単体であれば投影機を用いて角度を測定することができるが、ブロックをセンターベルトに装着するとわずかではあるもののたわみの発生等でブロックの角度が変化する。
【０００４】
【特許文献１】特開平０５−２６４２１７号公報
【特許文献２】特開２００３−３１１４３５号公報
【考案の開示】
【考案が解決しようとする課題】
【０００５】
投影機での角度の測定は、ベルトをカットしなければならず例えば製造したベルトの抜き取り検査を投影機で行うことはできるものの、全数検査をするようにはならない。
【０００６】
またセンターベルトに複数のブロックを装着したベルトの場合は、変化後のブロックの側面角度はセンターベルトを装着した状態で測定しなければならず、投影機を用いた方法では角度の測定を行うことはできない。
【０００７】
本考案はこのような問題を改善するものであり、Ｖベルトをカットすることなく三次元測定機を用いてごく簡単にベルト側面の角度を測定することができる、Ｖベルト角度測定用治具の提供を目的とする。
【課題を解決するための手段】
【０００８】
即ち、本願の請求項１記載の考案では、Ｖベルトの側面角度を三次元測定機にて測定するための治具であって、エンドレスのＶベルトの測定する側を動かないように固定配置する測定台と、測定に用いない側を収容する収容部を有することを特徴とする。
【０００９】
請求項２では、Ｖベルト角度測定用治具は支持台に脚部を介して測定台を取り付けた構成からなり、支持部と測定台との間の空間を収容部としたＶベルト角度測定用治具である。
【００１０】
請求項３では、支持台と脚部と測定台とが断面略コ字形状となるよう配置され、それらで取り囲まれた収容部を形成してなるＶベルト角度測定用治具である。
【考案の効果】
【００１１】
請求項１では、Ｖベルトの測定に用いる側を固定配置する測定台と、ベルトの測定に用いない側を収容する収容部を有しており、エンドレスのベルトであっても測定用にカットすることなくそのままの状態で、Ｖベルト角度測定用治具に固定して角度の測定を行うことができる。
【００１２】
請求項２および請求項３では、支持台と測定台を脚部で接続して両方の台の間に収容部を設ける構造としており、ベルトの測定に用いない側を該収容部に収めることで測定に利用する側のベルトを測定台に固定して三次元測定機の測定部に配置することができるので、正確に手間を掛けることなくＶベルトの角度を測定することができる。
【００１３】
請求項４ではＶベルトを治具の測定台にしっかりと固定することができ、より正確な角度の測定を行うことできる。
【考案を実施するための最良の形態】
【００１４】
図１は本考案に係るＶベルト角度測定用治具に測定対象となるベルトを装着しているところの断面図であり、図２は図１におけるＡ−Ａ断面図である。このＶベルト角度測定用治具１は、略コ字形状の部材であり、エンドレスのベルトにおいて、該治具１を下に置いて安定させるための支持台２とその上方に位置して測定に用いる側を固定配置する測定台３とを脚部４とで連結し支持台２と測定台３と脚部４とで囲まれた収容部５を有する構成からなっている。
【００１５】
測定台３にはＶベルト７を固定できるように、ボルト６ａを緩めることによって矢印方向に上下動可能な固定具６が取り付けられており、Ｖベルト７を測定台３の上に配置した後に押さえつけて動かないように固定具６で固定する。
【００１６】
Ｖベルト角度測定用治具１の形状は、図１や図２に示す略コ字形状に限られるものではなく、支持台２と測定台３の中央付近同士を脚部４で接続した略エ字形状のものや、支持台２の中央付近と測定台３の端部を脚部４で接続した略ユ字形状の測定治具であっても構わない。
【００１７】
このＶベルト角度測定用治具１を用いたベルト側面角度を測定する手順を次に説明する。エンドレスのＶベルト７の測定する側を測定用治具１の測定台３に載せて、ベルトの反対の測定に用いない側を収容部５に収めた状態で、固定具６にてベルト７を測定台３に固定する。また、必要に応じてＶベルトを回転させてベルトの測定する場所を変えていくことも可能である。Ｖベルト角度測定用治具１にベルト７を取り付けた状態で三次元測定機８の測定部にセットし、測定を開始すると測定端子９によってベルト側面の位置が複数測定され、得られた複数の位置データからベルト側面の角度が算出される。
【００１８】
このようにエンドレスのベルトを測定用にカットする必要がなく、本考案のＶベルト角度測定用治具１を用いることによって、非常に簡単な作業で測定作業を完了することができるものである。
【図面の簡単な説明】
【００１９】
【図１】本考案Ｖベルト角度測定用治具にベルトを装着しているところの正面図である。
【図２】図１におけるＡ−Ａ断面図である。
【図３】三次元測定機で角度を測定しているところの正面図である。
【符号の説明】
【００２０】
１  Ｖベルト角度測定用治具
２  支持台
３  測定台
４  脚部
５  収容部
６  固定具
７  ベルト
８  三次元測定機
９  測定端子
【図１】
0003125253.tif 000003
【図２】
0003125253.tif 000004
【図３】
0003125253.tif 000005
(57)【要約】【課題】本考案は、紙紐で編んだ買い物籠をより丈夫で、型崩れをなくして、水や雨、雪にも強くする。【解決手段】本考案は、紙紐で編み上げて籠本体を作り、それに漆又は、ポリウレタン樹脂塗料で塗装を施すことによって、丈夫で水や雨、雪にも強くし高級感を出したものである。【選択図】図１
0003125224.tif 000002
【実用新案登録請求の範囲】
【請求項１】
紙紐で編み上げた買い物籠に、漆又は、ポリウレタン樹脂塗料が施されていることを特長とする買い物籠。
【考案の詳細な説明】
【技術分野】
【０００１】本考案は紙紐で編み上げたものに、漆又はポリウレタン樹脂塗料を施した買い物籠である。
【背景技術】
【０００２】当地は山中漆器の地場産業が盛んで、器などに漆又、はポリウレタン樹脂塗料を塗装する技術があり、紙紐で編み上げた買い物籠にその技術を応用した。
【考案の開示】
【考案が解決しようとする課題】
【０００３】紙紐で編み上げただけの買い物籠では、水に弱く型崩れしやすい。
【課題を解決するための手段】
【０００４】出来上がった籠の外側及び内側の面全体に、漆又は、ポリウレタン樹脂塗料を施すことによって水や雨、雪に強く、しっかりとした丈夫なものになる。
【考案の効果】
【０００５】型崩れしない丈夫なものになり、水や雨、雪に強い買い物籠になる。その上、汚れにくく又、漆や塗料に色素を混ぜることにより色合いが多様化して高級感も備わる。
【実施例】
【０００６】買い物などに持って行く。室内で物入れとして使う。
【産業上の利用可能性】
【０００７】最近、環境に配慮する観点から、スーパー等で買い物をしてもレジ袋を廃止する傾向にあり、今後は買い物籠の需要が増すと見込まれる。
【図面の簡単な説明】
【０００８】
【図１】本考案の漆を施した紙製の買い物籠の正面図である。
【図２】本考案の漆を施した紙製の買い物籠の側面図である。
【図３】本買い物籠の一部切欠断面図である。
【符号の説明】
【０００９】１  籠本体
２  紙紐
３  漆又はポリウレタン樹脂塗料
【図１】
0003125224.tif 000003
【図２】
0003125224.tif 000004
【図３】
0003125224.tif 000005
(57)【要約】【課題】手指の爪の生え際をもむ「爪もみ」、手の平のつぼ指圧及び握力強化の同時に出来る用具の開発【解決手段】多数の小突起を有する手の平つぼの指圧用具の中央部を、手指の爪の生え際を挟み込んで刺激出来る様なくり抜きを設ける事でこの課題を解決する。【選択図】図３
0003125221.tif 000002
【実用新案登録請求の範囲】
【請求項１】
手のひらに収まる大きさの厚みのある扁平なレモン型で、全体に細かな突起を多数配し、中央部に手指のつめの生え際を挟み込むことが出来るくり抜きを設けた握力強化用具。
【考案の詳細な説明】
【技術分野】
【０００１】  本考案は手の平つぼ指圧・爪もみが同時に出来る握力強化用具に関する。
【背景技術】
【０００２】  従来の手の平つぼ指圧用具では、手指の爪の生え際の両サイドをもむように刺激することが出来なかった。また、握力強化運動の用具としての視点がなかった。
【考案の開示】
【考案が解決しようとする課題】
【０００３】  手指の爪の生え際をもむ「爪もみ」用の用具は電気的刺激を与える用具以外になかった。本考案は手の平つぼ指圧用具を改良し爪もみと手の平つぼ指圧および握力強化が同時に出来る多機能用具を開発することを課題とする。
【課題を解決するための手段】
【０００４】  この課題を解決するため請求項１の考案は、塩化ビニル製で多数の突起を有する手の平つぼ指圧用具の中央部をくり抜いて、握り締めたときに収縮差を十分に感じる事が出来る様弾力性を持たせ、くり抜いた部分で指爪の生え際を自由に挟めるようにして、もう一方の手で用具を握り締める事により、爪の生え際をもむようして“爪もみ”を行うものである。
【考案の効果】
【０００５】  本考案により手指の爪の生え際を刺激する爪もみが手の平全体で機械的に行うことが出来、指を使って行う「爪もみ」に比べ一部の指特に親指、人差し指の負担が軽減される。また、手の平つぼ指圧、握力強化の３つが効率的に行える。また、レモン型の両端の突起により体のつぼをうまく指圧できるように設計した。
【考案を実施するための最良の形態】
【０００６】  本案にかかる握力強化用具１０は図１  図２に示すように厚みのある扁平なレモン形をしたものに多数の突起を設け中央部を図１の２の様な形でくり抜いている。このくり抜き穴に指先を入れ３．３もしくは４．４（指の大きさによって選択）の狭くなった部分を爪面にして矢印の方向に握り締めることによって、爪の生え際をもむように刺激するものである。素材は塩化ビニルで形成するのが望ましい。くり抜き穴の切断面は指爪にやさしい様に丸みをつける。
【図面の簡単な説明】
【０００７】
【図１】  本考案の握力強化用具の平面図。
【図２】  本考案の握力強化用具の側面図。
【図３】  本考案の握力強化用具の利用の斜視図。
【符号の説明】
【０００８】  １        つぼ刺激用の突起
２        穴のくり抜き線
３        くり抜き穴の出っ張り
４        くり抜き穴の出っ張り
１０        本考案の握力強化用具の本体
【図１】
0003125221.tif 000003
【図２】
0003125221.tif 000004
【図３】
0003125221.tif 000005
(57)【要約】【課題】  化粧ブラシ等のブラシにおいて、そのブラシを構成する各部品を、分解可能とすることにより、簡単に、燃える物、燃えない物とに分別処理できるよう不要時には容易に分解できる分解可能なブラシを開発・提供する。【解決手段】  柄本体（１）に、被せ部（２）を螺子締めして設け、該被せ部は、該被せ部の内部に穂先（３）を挿入し、該穂先は、被せ部の内部で、弾性押圧具（４）により付勢されて先端より突出する状態で柄本体と、被せ部は螺子締めされていることを特徴し、柄本体の素材は、木材、合成樹脂であり、被せ部は、その一例として金属製であり、先端に進むに従って細くなるテーパ状に形成し、被せ部の先端の口端部（２ａ）は軸芯に向けて絞った形状にし、穂先が抜けるのを防止し、また、穂先は、前記弾性押圧具により付勢され、該穂先が、柄本体側に移動することを防止している。【選択図】      図３
0003125230.tif 000002
【実用新案登録請求の範囲】
【請求項１】
ブラシにおいて、柄本体（１）と、被せ部（２）とを着脱手段（Ｘ）によって取り外し自在とし、被せ部（２）の先端の口縁部（２ａ）を絞るよう構成し、該被せ部（２）に穂先（３）を挿入し、弾性押圧具（４）を介して、被せ部（２）から穂先（３）を押し出した状態に装着することを特徴とする分解可能ブラシ。
【請求項２】
着脱手段（Ｘ）が、柄本体（１）に形成したスパイラル溝（１ａ）と、該スパイラル溝に、被せ部（２）の後端（２ｂ）付近に設けた突起（２ｃ）を係合したものであることを特徴とする請求項１記載の分解可能ブラシ。
【考案の詳細な説明】
【技術分野】
【０００１】
この考案は、分解可能ブラシに関する。
【背景技術】
【０００２】
従来、化粧ブラシ等のブラシは、穂先が短くなったり等の理由により使用済みの場合には、化粧ブラシのまま捨てていた。
【０００３】
しかしながら、近年、ゴミの収集において、分別収集が行われ、燃える物、燃えない物等その素材に別けて分別収集されるものであり、ブラシや化粧筆等においても、そのような分別を求められるものであり、地球環境の保護運動に繋がるものである。
【考案の開示】
【考案が解決しようとする課題】
【０００４】
そこで、この考案の課題は、化粧ブラシ等のブラシにおいて、そのブラシを構成する各部品を、分解可能とすることにより、簡単に、燃える物、燃えない物とに分別処理できるよう不要時には容易に分解できる分解可能なブラシを開発・提供することにある。
【課題を解決するための手段】
【０００５】
上記の課題を解決するため、この考案者は、ブラシを構成する各部品を、簡単に分解可能に構成することにより、解決する分解可能ブラシを開発・提供するものである。
【考案の効果】
【０００６】
この考案によると、ブラシにおいて、柄本体（１）と、被せ部（２）とを着脱手段（Ｘ）により、装着し、被せ部（２）内には穂先（３）を挿入し、該穂先（３）を弾性押圧具（４）を介して被せ部（２）と、柄本体（１）とを分解可能に設けており、各部材が簡単に分解でき、分別収集にあう捨て方ができる。
また、柄本体（１）に、高級な木材、例えば、紫檀等を使用している場合には、他の部材は捨てても、その高級な素材である柄本体（１）は、再度、使用することができる等極めて有益なる効果を奏する。
【考案を実施するための最良の形態】
【０００７】
この考案は、ブラシにおいて、柄本体（１）、筒状の被せ部（２）、そして穂先（３）が、それぞれ分解可能に設けたことを特徴とする分解可能ブラシであり、それぞれの部材の素材が異なっていても、取り外し自在であり、構わないものである。
【実施例】
【０００８】
そこで、この考案の一実施例を、図面に従って詳述すると、柄本体（１）に、被せ部（２）を螺子締めして設け、該被せ部（２）は、該被せ部の内部に穂先（３）を挿入し、該穂先（３）は、被せ部（２）の内部で、弾性押圧具（４）により付勢されて先端より突出するよう設け、その状態で柄本体（１）と、被せ部（２）は螺子締めされていることを特徴とする分解可能ブラシから構成される。
【０００９】
そして、柄本体（１）の素材は、木材であっても、合成樹脂であってもよく、被せ部（２）は、その一例として金属製であり、先端に進むに従って細くなるテーパ状に形成し、被せ部（２）の先端の口端部（２ａ）は軸芯に向けて絞った形状にし、穂先（３）が抜けるのを防止している。また、穂先（３）は、前記弾性押圧具（４）により付勢されており、該穂先（３）が、柄本体（１）側に移動することを防止している。
【００１０】
さらに、柄本体（１）と、被せ部（２）とを着脱手段（Ｘ）によって取り外し自在としている。この着脱手段（Ｘ）の一例を詳述すると、柄本体（１）の一端部にスパイラル溝（１ａ）を設け、被せ部（２）の後端（２ｂ）付近には、前記スパイラル溝（１ａ）に適合する突起（２ｃ）を、一または複数個設け、柄本体（１）を回転することにより、被せ部（２）の突起（２ｃ）は、スパイラル溝（１ａ）に係合しているため、被せ部（２）が正転することにより、締まり、逆転することにより外れるものである。
【００１１】
尚、穂先（３）は、被せ部（２）の内部に位置する弾性押圧具（４）によって押圧され、被せ部（２）の先端の口端部（２ａ）より突出しており、該弾性押圧具（４）の一実施例としては、図面には、その一例として発泡合成樹脂を設けているが、被せ部（２）内部に、図示はしないが金属コイルバネを用い、該金属コイルバネの一端で穂先（３）と当接し、他端で柄本体（１）を当接することにより、穂先（３）を付勢しするよう構成してもよいものである。
【００１２】
また、突起（２ｃ）は、筒状の被せ部（２）の内面より突起するよう構成されたものであり、該被せ部（２）の後端（２ｂ）付近に設けており、前記柄本体（１）のスパイラル溝（１ａ）に係合して、柄本体（１）、あるいは被せ部（２）を回転することにより、両者が締めつけ固定されたり、離脱するものである。
【産業上の利用可能性】
【００１３】
この考案によると、ブラシの製造技術を確立し、それに基づいて製造・販売することにより、産業上の利用可能性があるものである。
【図面の簡単な説明】
【００１４】
【図１】この考案の一実施例を示す斜視図である。
【図２】この考案の一実施例を示す分解図である。
【図３】この考案の組み立て状態の一実施例を示す断面図である。
【符号の説明】
【００１５】
１  柄本体
１ａ  スパイラル溝
２  被せ部
２ａ  口端部
２ｂ  後端
２ｃ  凸部
３  穂先
４  弾性押圧具
Ｘ  着脱手段
【図１】
0003125230.tif 000003
【図２】
0003125230.tif 000004
【図３】
0003125230.tif 000005
(57)【要約】【課題】本考案は、一対の押圧板の間に回動自在なる部材を有してなるペットボトル潰し機において、機構の簡便化および軽量化と製品価格低減化を提供するものである。【解決手段】一対の押圧板１，押圧板２のうち、押圧板２に前記ストッパー４を配設する。【選択図】図１
0003125215.tif 000002
【実用新案登録請求の範囲】
【請求項１】
一対の押圧板の間の一端に、回動自在なる部材を取り付けて締結した構造物であって、この押圧板の間にペットボトルを挟んで押圧して減容することを目的とするペットボトル潰し機において、一方の押圧板に、回動自在なる部材の取り付け部とは反対側であって、かつ、他方の押圧板と対面する側の一端にストッパーを取り付けてなる、ペットボトル潰し機。
【考案の詳細な説明】
【技術分野】
【０００１】  本考案は、一対の押圧板の間に回動自在なる部材を有してなるペットボトル潰し機に関するものである。
【背景技術】
【０００２】  従来から、一対の押圧板の間に回動自在なる部材を有してなるペットボトル潰し機は考案されていたが、当該押圧板の形状を屈曲変形させた物や、当該押圧板の押圧部位に他の部材を追加して構成した物などがあった。
【考案の開示】
【考案が解決しようとする課題】
【０００３】  しかしながら、当該押圧板の形状を屈曲して変形させた物や、当該押圧板の押圧部位に他の部材を追加して構成してなる従来のペットボトル潰し機は、構造が複雑となり、製品重量が重くなり、製品価格も高くなるなどの欠点があった。また、一対の押圧板を回動せしめて押圧作業をするときに、押圧板間の接近距離を一定値に規制する構造がないために、押圧作業最終時に過大な力が当該回動自在なる部材に作用するために、当該部材を含めて、当該ペットボトル潰し機全体を金属などの高い強度を有する部材で作る必要があり、製品価格が高くなっていた。
【課題を解決するための手段】
【０００４】  本考案は、一対の押圧板の間の一端に、回動自在なる部材を取り付けて締結した構造物であって、この押圧板の間にペットボトルを挟んで押圧して減容することを目的とするペットボトル潰し機において、一方の押圧板に、回動自在なる部材の取り付け部とは反対側であって、かつ、他方の押圧板と対面する側の一端に、一定の厚みを有するストッパーを取り付けてなる機構を具備することで、当該ペットボトル潰し機の構造の簡便化および軽量化と、製品価格の低減化を実現し、これにより上記課題を解決するものである。
【考案の効果】
【０００５】  本考案のペットボトル潰し機は、一対の押圧板における一方の押圧板に、回動自在なる部材の取り付け部とは反対側であって、かつ、他方の押圧板と対面する側の一端にストッパーを取り付けているために、ペットボトルの押圧作業最終時に、他方の押圧板の回動自在なる部材の取り付け部とは反対側の一端が、当該ストッパーと接近接触して停止するために、押圧板間の接近距離がある一定値に規制される。そのために、ペットボトルも当該押圧板間の当該接近距離に応じた厚さ以下に押圧されることがないので、当該押圧板を含めたペットボトル潰し機の構成部材に必要以上に過大な力が作用しない。それで、当該押圧板の間の一端に取り付けられた回動自在なる部材として安価な丁番などの部材が適用できるので、当該製品価格の低減化が実現できる。また、一対の押圧板は、直方体などの単純構造体にすることが出来る。当該押圧板の材質も安価な木材などが使用できるので、当該製品価格の低減化が実現できる。また、木材などの軽量部材を使用することにより、製品重量の軽量化ができる。
【考案を実施するための最良の形態】
【０００６】  一対の押圧板の間に回動自在なる部材を有してなるペットボトル潰し機において、その構造を簡単にし、製品重量を軽くし、製品価格を安価にするという目的を、当該ペットボトル潰し機の一方の押圧板２に、回動自在なる部材３の取り付け部とは反対側であって、かつ、他方の押圧板１と対面する側の一端にストッパー４を取り付けることによって実現した。
【図面の簡単な説明】
【０００７】
【図１】本考案に係るペットボトル潰し機の外観図である
【符号の説明】
【０００８】１・・・押圧板１
２・・・押圧板２
３・・・回動自在なる部材
４・・・ストッパー
【図１】
0003125215.tif 000003
(57)【要約】【課題】  クリップで挟んで保持した紙等が、容易にずれたり、傷つけられたりする不都合の解消。【解決手段】  クリップ本体１の紙等４を挟む保持部２を、ビニールやゴム等の滑りにくく、柔らかなカバー３で覆ったクリップにより、この課題を解決する。【選択図】図１
0003125213.tif 000002
【実用新案登録請求の範囲】
【請求項１】
紙等を挟んで保持する部分の表面を、ビニールやゴム等の滑りにくく、柔らかなカバーで覆ったクリップ。
【考案の詳細な説明】
【技術分野】
【０００１】  本考案は、紙等を保持するクリップに関する。
【背景技術】
【０００２】  従来のクリップでは、クリップ本体の金属製の保持部で直接紙等を保持していた（図２）。
【考案の開示】
【考案が解決するための課題】
【０００３】
【０００４】  しかし、これでは、紙等が簡単に滑ってずれてしまったり、金属部分で紙等を傷つけたりすることがあって、不便である。
【考案が解決するための手段】
【０００５】  そこで、クリップ本体１の紙等４を挟む保持部２を、ビニールやゴム等の滑りにくく、柔らかなカバー３で覆ったクリップを考案した（図１）。このカバー３により、紙等４を傷つけることなく、滑りにくくした。
【考案の効果】
【０００６】  よって、本考案のクリップにより、クリップで紙等を挟んで保持するときに、紙等が容易にずれてしまったり、傷つけられることがなくなる。
【図面の簡単な説明】
【０００７】
【図１】  考案したクリップの使用状況を示す側面図である。
【図２】  従来のクリップの使用状況を示す側面図である。
【符号の説明】
【０００８】  １  クリップ本体
２  保持部
３  カバー
４  紙等
【図１】
0003125213.tif 000003
【図２】
0003125213.tif 000004
(57)【要約】      （修正有）【課題】室内への外気の流入を調節する時に、ガラス戸を半開き状態にしても、ガラス戸と網戸との空隙部に介在して虫類の侵入をシャットアウトすることのできる虫類シャットアウト部材の提供。【解決手段】軟質性合成樹脂製のプレートの背面に粘着剤を設け、該粘着剤の表面に離型紙を貼着しておき、使用時に離型紙を剥がしてプレートを網戸枠体の側面に粘着剤を介して貼着できるように構成し、該プレートの表面に弾力性ブラシ材が一体的に形成されていることを特徴とし、ガラス戸が全開又は半開状態でも、弾力性ブラシ材の先端が常にガラス面に接触しているように構成したことを特徴とし、且つ、軟質性合成樹脂製のプレートと弾力性ブラシ材が一体成型されている。【選択図】図１
0003125212.tif 000002
【実用新案登録請求の範囲】
【請求項１】
軟質性合成樹脂製のプレートの背面に粘着剤を設け、該粘着剤の表面に離型紙を貼着しておき、使用時に離型紙を剥がしてプレートを網戸枠体の側面に粘着剤を介して貼着できるように構成し、該プレートの表面に弾力性ブラシ材が一体的に形成されていることを特徴とする虫類シャットアウト部材。
【請求項２】
ガラス戸が全開又は半開状態でも、弾力性ブラシ材の先端が常にガラス面に接触しているように構成したことを特徴とする請求項１記載の虫類シャットアウト部材。
【請求項３】
軟質性合成樹脂製のプレートと弾力性ブラシ材が一体成型されていることを特徴とする請求項１記載の虫類シャットアウト部材。
【考案の詳細な説明】
【技術分野】
【０００１】  本考案は、網戸サッシに貼着して使用する虫類シャットアウト部材に関し、ガラス戸と網戸の空隙部に当接され、虫類の侵入をシャットアウトするものであり、特に室内への外気の流入を調節する時に、ガラス戸を半開き状態にしても、ガラス戸と網戸との空隙部に介在して虫類の侵入をシャットアウトすることのできる虫類シャットアウト部材である。
【背景技術】
【０００２】  一般に、春夏秋冬を問わず住居用の各部屋に虫類が侵入することは衛生的にも問題があり、特に春から夏にかけては虫類の侵入が多く見られ、特に病原菌の媒体となる蝿や蚊などの侵入をシャットアウトしなければならないが、従来のガラス戸には網戸との空隙を埋める材料がなく、ガラス戸を開けて片面に網戸をスライドしても、度々虫類の侵入が見られた。【０００３】  最近では住居用の各部屋に虫類の侵入をシャットアウトするための工夫がなされておりガラス戸の一部に換気を兼ねたスライド式やブラインド式等の工夫もなされている。【０００４】  また、ガラス戸の室外側に網戸がスライドできるような組み合わせで、室外からの虫類の侵入を防ぐものが広く実用されている。
例えば下記に示すような実用新案登録第３０８４２２６号のようなブラシシールが考案されている。【０００５】
【実用新案文献１】
実用新案登録第３０８４２２６号公報
【考案の開示】
【考案が解決しようとする課題】
【０００６】  前記せる実用新案登録第３０８４２２６号公報に開示された技術では、片方のガラス戸を全開とし、開口部に網戸をスライドさせれば、室外からの虫類の侵入を完全に防ぐ構造になっている。【０００７】  しかしながら、室内に居る移住者にとって、外気の流入量や冷気の調節の為に、ガラス戸を半開きにして使用する場合が生じるが、このような場合には、前記せる実用新案登録第３０８４２２６号公報に開示された構造ではガラス戸が半開きの場合、起毛ブラシの先端部とガラスとの間に明らかに空隙が生じる構造であるから、ガラス戸が半開きの場合には虫類の侵入を完全に防ぐことができない。
【課題を解決するための手段】
【０００８】  本考案の虫類シャットアウト部材によれば、軟質性合成樹脂製のプレートの背面に粘着剤を設け、該粘着剤の表面に離型紙を貼着しておき、使用時に離型紙を剥がしてプレートを網戸枠体の側面に粘着剤を介して貼着できるように構成し、該プレートの表面に弾力性ブラシ材が一体的に形成されていることを特徴とし、ガラス戸が全開又は半開状態でも、弾力性ブラシ材の先端が常にガラス面に接触しているように構成したことを特徴とし、且つ、軟質性合成樹脂製のプレートと弾力性ブラシ材が一体成型されていることを特徴とする虫類シャットアウト部材を提供するものである。
【考案の効果】
【０００９】  以上説明したように本考案に係る虫類シャットアウト部材によれば、ガラス戸が全開又は半開状態でも、弾力性ブラシ材の先端が常にガラス面に接触しているので、常に虫類の侵入を防ぐことができる効果がある。
【考案を実施するための最良の形態】
【００１０】  以下、図面に基づき考案を実施するための最良の形態について具体的に説明する。
図面において、図１は本考案に係る虫類シャットアウト部材を網戸に使用した状態を示す網戸及びガラス戸の水平断面図である。図２は本考案に係る虫類シャットアウト部材の平面図である。【００１１】  図２にしめすように、軟質性合成樹脂製のプレート７３の背面に粘着剤７２を設け、該粘着剤７２の表面には離型紙７１が貼着されている。【００１２】  使用時には離型紙７１を剥がして軟質性合成樹脂製のプレート７３の背面を網戸枠体３の側面に、図１に示すように粘着剤７２を介して貼着することができる。【００１３】  網体３１を嵌めこんだ網戸枠体３とガラス４１を嵌めこんだガラス戸枠体４とガラス５１を嵌めこんだガラス戸枠体５は相互にレール（図示せず。）を介して建物１に固定された固定サッシ２の範囲内でスライドさせることができる。【００１４】  また、軟質性合成樹脂製のプレート７３の表面には弾力性ブラシ材７４が一体的に形成されている。【００１５】  ガラス戸が全開又は半開状態でも、弾力性ブラシ材７４の先端が常にガラス４１の表面に接触しているので、常に虫類の侵入を防ぐことができる。【００１６】  また、軟質性合成樹脂製のプレート７３と弾力性ブラシ材７４が一体成型されているので、使用時においては、必要な寸法に裁断して使用することができるので、網戸に限らず汎用性のある使用場所に適応することができる。
【図面の簡単な説明】
【００１７】
【図１】  本考案に係る虫類シャットアウト部材を網戸に使用した状態を示す網戸及びガラス戸の水平断面図である。
【図２】  本考案に係る虫類シャットアウト部材の平面図である。
【符号の説明】
【００１８】１．建物
２．固定サッシ
３．網戸枠体
３１．網体
４．ガラス戸枠体
４１．ガラス
５．ガラス戸枠体
５１．ガラス
６．空隙部
７．虫類シャットアウト部材
７１．離型紙
７２．粘着剤
７３．プレート
７４．弾力性ブラシ材
【図１】
0003125212.tif 000003
【図２】
0003125212.tif 000004
(57)【要約】      （修正有）【課題】和服を着る際、締め付ける感じを軽減し、長時間、楽に和服を着付けることができる腰紐を提供する。【解決手段】和装の着付けにおいて必ず使う腰紐を、長手方向に沿って布と弾性のある伸縮性素材を交互に複数取り付ける事によって、締め付けられる感じや、苦しさを軽減し、尚且つ和装を快適、簡単、迅速に着ることができる。【選択図】図３
0003125219.tif 000002
【実用新案登録請求の範囲】
【請求項１】
和装用腰紐において、長手方向に沿って、布と弾性のある伸縮性素材を、交互に複数、接合形成する事を特徴とする腰紐。
【考案の詳細な説明】
【技術分野】
【０００１】    本考案は和服を着る際、必要不可欠な腰紐に、長手方向に沿って、布と弾性のある伸縮性素材を交互に複数接合形成する事により、締め付ける感じを軽減し、長時間、楽に和服を着付けることが出来る腰紐に関するものである。
【背景技術】
【０００２】    従来の腰紐はゴムだけのものか、布だけのものである。
【考案の開示】
【考案が解決しようとする課題】
【０００３】    従来の腰紐は、きつく締めると窮屈で苦しく、ゆるく締めると着崩れがする為、着付けをする際、絶対必要不可欠な腰紐をなんとか、楽に苦しくない和服を着る方法はないものかと考案した。
【課題を解決するための手段】
【０００４】    腰紐に長さ方向に沿って、布と弾性のある伸縮性素材を交互に縫製し接合形成する事により、窮屈さや苦しさから開放され、着崩れを防ぎ長時間着物を着ている事が出来る。
【考案の効果】
【０００５】    従来の腰紐で和服を着ると、きつく締めると窮屈で苦しく、ゆるく締めると着崩れがして、見苦しく和服を着る人が少なくなっているのが現状である。この腰紐を使う事によって婚礼、七五三、妊婦、男性、外国人など和服を着て長時間過ごさなくてはならない人など楽に和服を着ることが出来る、和服を気楽に着て頂き、日本の民族衣装である着物をもっと世界に普及させたい。
【考案を実施するための最良の形態】
【０００６】    従来の布だけの腰紐は、きつく締めると窮屈で苦しく、ゴムだけの腰紐はどんどん締め付けられて苦しく丁度良い腰紐がなく、本考案は袋状に縫製した布と袋状に縫製した布の間に複数弾性のある伸縮性素材を、長手方向に沿って交互に接合形成することにより、苦しくない腰紐となった。【０００７】    布と弾性のある伸縮性素材により相乗効果ができ自分で和服を着る人も、着付けてもらう人も締め付ける感じが軽減し、着崩れを防ぎ、効果が最大最良である。実験の結果、標準体型の方は弾性のある伸縮性素材を一箇所取り付けるよりも二箇所取り付けた方が最適であり、又特別に大きい体型の方は二箇所以上取り付けた方が効果的であった。【０００８】    実験の結果一般用腰紐としては、全長約２１０ｃｍ、幅約５ｃｍ、中心の布は約２６ｃｍ、隣接する両端の弾性のある伸縮性素材は約１５ｃｍが適当であった。尚全体の長さ等は体型に応じて調節が可能である。
【実施例】
【０００９】    腰紐は元来、袋状に縫った長い紐であったが、本考案はその袋縫いになっている布と布の間に、弾性のある伸縮性素材を交互に複数入れる事によって、締め付ける感じが軽減し、着付けが簡単迅速に出来る。尚、和服を着る際、最小限必要な３−４本の腰紐を本考案の腰紐ですべて着付けた場合には、着崩れ、窮屈、苦しいをすべて軽減できる最高最適な腰紐である。
【産業上の利用可能性】
【０００１０】    和服業界、婚礼業界、和服メーカー等、日本の民族衣装として世界にもっと普及貢献出来る。
【図面の簡単な説明】
【０００１２】
【図１】袋状の布と弾性のある伸縮性素材の裁断した図
【図２】布と弾性のある伸縮性素材の組み合わせの図
【図３】布と弾性のある伸縮性素材の縫製接合形成した図
【符号の説明】
【０００１３】    １  布
２  腰紐中心の布部分
３  弾性のある伸縮性素材
４  縫製接合部分
【図１】
0003125219.tif 000003
【図２】
0003125219.tif 000004
【図３】
0003125219.tif 000005
(57)【要約】【課題】  本考案は洗濯干し器で、ひねるだけで洗濯物をいっきに取り込めるようにする。【解決手段】  本考案は放射線状に棒の数だけ切り込みを入れた板状の物を底面部に取り付け、上部を少しひねる事によって、上に乗っている洗濯物をかけてある棒が切り込みと合った時下に落ちるので、楽に洗濯物が片付けられる。【選択図】図１
0003125217.tif 000002
【実用新案登録請求の範囲】
【請求項１】
円形をした既存洗濯干し器に、放射線状に棒の数だけ切り込みを入れた円形の板状の物を底面付け、その上に乗っている、棒と一体化した上側を回す事によって切り込み部分と棒が合った時、下に落とせる事を特徴とする洗濯干し器。
【考案の詳細な説明】
【技術分野】
【０００１】  本考案は、底面部分に切り込み板を設けた洗濯干し器に関する物である。
【背景技術】
【０００２】  洗濯物を取り込む時、棒より一枚ずつ外さないとならなかった。
【考案の開示】
【考案が解決しようとする課題】
【０００３】  円形状の物干し器から洗濯物を取り込む時、何本も棒があるのに一枚ずつ外さないとならなかった。洗濯物を掛けてある棒を落とす事により一度に外せ、時間的、労働的負担を解決しようとするものである。
【課題を解決するための手段】
【０００４】  本考案は、棒の数だけ放射線状に切り込みを入れた底面部を設け、その上に乗っている棒と一体化した上部を少し回す事によって切り込み部分と合った時、いっきに下に落ちる事によって問題点を解決している。
【考案の効果】
【０００５】  今までは一枚ずつ洗濯物を取り込まないとならなかったが、円形状の物干し器の底面部に切り込みを設けた事によって、棒と一体化した上部を少し回すだけで切り込み部分と棒が合い、棒と共に洗濯物がいっきに落ちるから片付けるのに時間がかからない。多忙な人に役立つ。
【考案を実施するための最良の形態】
【０００６】  底面部は棒の数だけ切り込みを入れ、芯と固定する。上部は洗濯物をかける棒と、ねじる為の握り手になる部分を一緒に動くようにする。上部の内側には回したのが止まるように溝を付ける。洗濯物がスムーズに落ちるために棒の先は止める物は付けないようにするが、根元に洗濯ピンをぶら下げる。
【実施例】
【０００７】  添付図面に従って説明する。４の干す棒を１の切り込みに落とすため、２を回す。３の溝を内側に作る事に寄って、２を握って回すと止まる。２と４と５は同時に動く様に固定してあるので、２を回すと４も回り１の切り込みと合った時４が洗濯物と共に落ちる。１は円形で棒が入る為に切り込みの入った鉄や丈夫なプラスチックス等で８と固定されている。回して棒を落とす時、スムーズに落ちるように洗濯物をかける棒の先は留める物は何も付けないが根元に７の洗濯ピンをぶら下げる。６は洗濯ピンを取り付ける所である。
４は上下に動くが、閉じて片付けてある本体を干す為逆さにした時、それ以上行かないで止まる様に５は６より少し短い。
【図面の簡単な説明】
【０００８】
【図１】洗濯物を取り込む為、棒が下に落ちた所の断面図である。見やすくする為に棒は省略して二本だけ表示してある。
【図２】棒を落とす為の切り込みが入った丸い板状の物で、本体の一部を分解した平面図である。
【図３】回してとめる為の溝の断面図である。
【符号の説明】
【０００９】１    切り込みの入った板状の物
２    回すため握る所
３    溝
４    洗濯物をかける棒
５    棒を取り付ける所
６    洗濯ピン取り付け場所
７    洗濯ピン
８    中心の棒
９    洗濯物を干してある状態
１０  外側の回してとめる為の突起で広げる時の位置
１１  外側の回してとめる為の突起で落とす時の位置
１２  中心の棒側の溝
【図１】
0003125217.tif 000003
【図２】
0003125217.tif 000004
【図３】
0003125217.tif 000005
(57)【要約】【課題】本考案は型取りし固めたタオルで中仕切りを１枚のプレートにし、商品梱包とリサイクルの両方に役立てる。【解決手段】生麩のりなどの水溶液に浸漬したタオル２を型枠１に乗せ、商品枠である３、４、５のとおりに成型し、乾燥させた後、型枠より取り出しパッケージ６の中に上下左右どちらにも傾斜させず四隅が変形しないように納めることにより商品保護と見栄えの良さを備え、不要となった中仕切りはのりを水で流しタオルとして使用する。【選択図】図３
0003125299.tif 000002
【実用新案登録請求の範囲】
【請求項１】
パッケージに収納する商品の型枠に生麩のりに浸漬したタオルで商品保護の型をつくり、固めたタオルのプレートを中仕切りとして用いた後、のりを落としタオルとして再利用することを目的するタオルの中仕切り。
【考案の詳細な説明】
【技術分野】
【０００１】
本考案は各種パッケージの商品保護機能をタオルをのりで固めた中仕切り等に持たせたものに関するものである。
【背景技術】
【０００２】
従来、パッケージに納められた商品の保護と見栄えを良くするという目的から中仕切りが使用されている。そして、その素材も当初は沢山重ねても嵩張らず輸送や保管に便利でコストも安い塩化ビニール樹脂、スチロール樹脂等で成型されていたが資源の再利用問題やゴミ焼却時の環境問題等から現在ではそれらに代わって紙製で組み立て式の中仕切りが大部分で使用されている。たとえば（特許文献１）
【０００３】
【特許文献１】実開平７−４３１８号公報
【考案の開示】
【考案が解決しようとする課題】
【０００４】
紙製の中仕切りを使用することで再利用やゴミ減らしが大幅に進んだかという点では、やはり中仕切りのほとんどは可燃物のゴミとして出されているのが、現状である。また紙製の中仕切りは折り曲げが目立ちすぎボトルなどの商品の見栄えがよくない。これらの事により商品の見栄えを良くし組み立て時間を要せず、中仕切りも商品の１つとすることでゴミ減らしの問題も解決できるタオルを用いたリサイクル中仕切りを提供する。
【考案の効果】
【０００５】
本考案は、タオルを１枚の型取りしたプレートに加工する為、出荷時に重ねて持ち運べ梱包時にはパッケージの中に一度ですべての型の中仕切りが完成する。ゆえに素早く商品を詰めることができ紙のように幾度も折り曲げず、これまで行われて来た本体のパッケージに数回差し込む作業もカットされる。また１枚のプレートになっている事で商品製造から梱包まで一括して大量生産を行う工場においても一層時間短縮に役立つと思われる。
【０００６】
商品が入る以外のスペースは平らであり、商品をすっきり見せることで詰める商品のイメージや用途に合わせて、タオルの色、柄、形を工夫すればタオルも商品の一つに加えられパッケージ全体のグレードアップも図れる。
【０００７】
スーパー、デパート、ホームセンター、クリーニング店などいろいろな企業でも包装を簡素化したり、マイバッグの販売やハンガーの回収など環境保護やリサイクル運動に積極的に取り組み始めた今日において、可燃ゴミとしてほとんどが出されていた中仕切りを、必要なくなればのりを水で洗い流しタオルとして使用させる事でゴミを出さないパッケージの中仕切り材として提供できる。
【考案を実施するための最良の形態】
【０００８】
粉末の生麩のりなどに適量の水を加え粘りが出るまで加熱溶解した後に、パッケージから出ない大きさにカット加工したタオルに水分を含ませ、その中に浸漬させて生麩のりなどを付着させる。それに続き余分な生麩のりなどを落として商品型枠にいれ成型、乾燥させる。
【実施例】
【０００９】
以下、添付図面に従って一実施例を説明する。図１は型枠１の上にのりを付着させたタオル２を乗せた後に、商品収納部分枠３、４、５にあわせて加圧成型したものである。図２はその時の横断面図である。その後、乾燥させ型枠１より取り出したタオル２の中仕切りを、パッケージ６の中に上下左右どちらにも傾斜せず、４つの隅が内外に不規則に変形しないように真上から垂直に挿入する。図３がパッケージ６の中にタオル２の中仕切りを挿入した時の正面図であり、図４がその横断面図である。
【００１０】
タオル２の中仕切りの成型において大量生産する場合は、プラスチックバケツの加熱成型の方法を参考に用いる事で可能になると思われる。また少量の商品や特殊な商品の場合でも商品の型を粘土などの軟らかい物に移し取ることで、短時間で型枠ができ採寸の必要がないため手作業でもタオル２の中仕切りは成型が可能である。
【産業上の利用可能性】
【００１１】
生麩のりは水ですぐに落とせ、無害、無臭であるが、中仕切りとして使用後、再度タオルとして使用できるなら凝固剤は生麩のりに限定しない。
【００１２】
タオルを日本手ぬぐいなど薄い物に取り替える事により小さく区分けする物や軽量商品の梱包にも応用できると思われる。
【図面の簡単な説明】
【００１３】
【図１】本考案の一実施例に係るタオルの中仕切りの型枠の正面図。
【図２】中仕切り型枠とタオルの中仕切りの横断面図。
【図３】パッケージにタオルの中仕切りを納めた正面図。
【図４】パッケージにタオルの中仕切りを納めた横断面図。
【符号の説明】
【００１４】
１  型枠
２  タオル
３  タオルに型押しした商品枠
４  タオルに型押しした商品枠
５  タオルに型押しした商品枠
６  パッケージ
【図１】
0003125299.tif 000003
【図２】
0003125299.tif 000004
【図３】
0003125299.tif 000005
【図４】
0003125299.tif 000006
(57)【要約】      （修正有）【課題】書籍の大小、厚薄を問わず、当該書籍の開いた状態を保持できる読書用具を提供する。【解決手段】細長い樹脂シートで成る基部片１を備え、該基部片１の、書籍ｂの上小口ｂ´又は下小口ｂ´´に隣接させて配する、長手方向の一端に、前記書籍ｂの頁紙Ｓ，Ｓ間に選択的に挟挿する、少なくも４枚の挟挿部片２Ａ，２Ｂ，２Ｃ，２Ｄを突設して構成する。【選択図】図３
0003125291.tif 000002
【実用新案登録請求の範囲】
【請求項１】
細長いシート状の基部片を備え、該基部片の、書籍の上小口又は下小口に隣接させて配する、長手方向の一端に、前記書籍の頁紙間に選択的に挟挿する、少なくも４枚の挟挿部片を突設した、読書用具。
【考案の詳細な説明】
【技術分野】
【０００１】
本考案は、読書或いは書籍の閲覧に際し用いる読書用具に関するものである。
【背景技術】
【０００２】
読書或いは閲覧時に、当該書籍が開いた状態のまま保持されると便利なことがあるが、この開いた状態を保つものとして、一対の帯状シート片を互いに蝶着し、該帯状シート片の自由端側に書籍の頁紙を挟持するクリップを設けた構造のものがある（例えば、特許文献１）。
【０００３】
【特許文献１】実用新案登録第３０１２１０２号公報
【考案の開示】
【考案が解決しようとする課題】
【０００４】
前記従来構造のものは、互いに蝶着した帯状シート片の端部（自由端）に設けたクリップに書籍の小口側（頁紙の自由端側）を挟持させて書籍の開いた状態を保持しようとするため、汎用性に欠け、従って、書籍の大、小に対応させて当該用具を用意しなければならず、また、クリップに頁紙を挟持させる必要があるのでその操作も煩雑であるばかりでなく、厚い書籍には適用できない構造になっている。
【０００５】
本考案は、斯様な従来例の欠点に着目し、書籍の大小、厚薄を問わず、当該書籍の開いた状態を保持し、使用勝手の良好な読書用具を提供することを目的として案出したものである。
【課題を解決するための手段】
【０００６】
細長いシート状の基部片を備え、該基部片の、書籍の上小口又は下小口に隣接させて配する、長手方向の一端に、前記書籍の頁紙間に選択的に挟挿する、少なくも４枚の挟挿部片を突設した構成とするのである。
【考案の効果】
【０００７】
本考案によれば、並設方向の内側の一対の挟挿部片又は外側の一対の挟挿部片を、上小口又は下小口側から頁紙間に挟挿するようにして、該一対の挟挿部片に対応する他の一対の挟挿部片を開いた書籍の当該頁紙上に載せることによって書籍の開いた状態を簡単に保持することができ、従って、書籍の大小や厚薄に係りなく開いた状態を確実に保持できる読書用具を提供できる。
【実施例】
【０００８】
図面は本考案に係る読書用具の実施例を示し、図１は正面図、図２は平面図、図３は一使用例を示す斜視図、図４は第二実施例の正面図である。
【０００９】
本考案に係る読書用具Ａは、透視可能な合成樹脂シートをプレス抜きして得たもので、細長いシート状（帯状）の基部片１を備え、該基部片１の長手方向に沿う一端に４枚の挟挿部片２Ａ，２Ｂ，２Ｃ，２Ｄを適宜の間隔を存して櫛歯状に突設して構成したものである。
【００１０】
なお、図４で示す第二実施例のものは、前記基部片１の一端に設けた透孔３に飾り紐４を取付けて、栞として用いる際に好適にしたものである。
【００１１】
この用具Ａを読書乃至閲覧（書籍）時に用いるには、基部片１の長手方向に沿う端縁を、書籍ｂの上小口ｂ´乃至下小口ｂ´´に沿うように配し櫛歯状の並設方向の、内側の一対の挟挿部片２Ｂ，２Ｃ又は外側の一対の挟挿部片２Ａ，２Ｄを、開いた状態の書籍ｂの頁紙Ｓ，Ｓ´上に配する一方、他の一対の挟挿部片２Ａ，２Ｄ又は２Ｂ，２Ｃを他の頁紙間や表紙の下側に配するようにして挟挿すると、書籍の背を境とする一方は、内外一対の挟挿部片２Ｂ，２Ａで、他の一方は、他の内外一対の挟挿部片２Ｃ，２Ｄで挟持され、当該書籍の開き状態が保持されるのである。
【００１２】
この読書用具Ａの適用は、図３で示す使用例に限る必要なく、また、栞としても適用できるのである。
【００１３】
また、挟挿部片の数は、実施例に限定する必要のないことは勿論であり、各挟挿部片は互いに同長で、等間隔を置いて配してあるが、長さを異にしても良く、間隔幅は適宜でも不都合はない。
【図面の簡単な説明】
【００１４】
【図１】正面図。
【図２】平面図。
【図３】一使用例を示す斜視図。
【図４】第二実施例の正面図。
【符号の説明】
【００１５】
１                          基部片
２Ａ，２Ｂ，２Ｃ，２Ｄ      挟挿部片
ｂ                          書籍
【図１】
0003125291.tif 000003
【図２】
0003125291.tif 000004
【図３】
0003125291.tif 000005
【図４】
0003125291.tif 000006
(57)【要約】【課題】浅鉢を使って蘭を栽培し、仕立てることで、既存の長鉢にはない新たな雰囲気を持つ鉢植えを作り出す。【解決手段】蘭では生育が旺盛になりすぎると、根が鉢の表面以上に盛り上がって生長し、浅鉢では見た目が悪くなることがある。それを解決するため、浅鉢に植える前の生長初期段階より、ややかん水を多めにした管理を行う。浅鉢に鉢上げし、開花までの栽培中は粒のより細かな培土を利用し、かん水を多めにすることで、浅鉢を使った見た目ににもよい新たな雰囲気の鉢植えを作ることができる。【選択図】図１
0003125387.tif 000002
【実用新案登録請求の範囲】
【請求項１】
直径が高さの２倍以上とする浅鉢を蘭の植え込みに利用することを特徴とする鉢植え。
【請求項２】
蘭の根が、浅鉢表面より出過ぎないように培地は粒がより細かいものを選択し、生育初期段階よりかん水を多めにすることで、生育が旺盛になりすぎないようにするという請求項１記載の鉢植えの浅鉢の蘭の栽培方法。
【考案の詳細な説明】
【技術分野】
【０００１】  本考案は蘭の鉢植えに関するものである。
【背景技術】
【０００２】  従来より蘭においては、高さが直径の２倍以上である長鉢（図２）を利用することが一般的である。
【考案が解決しようとする課題】
【０００３】  しかしながら、従来の長鉢を利用した蘭の鉢植えではアレンジの幅が限られ、同じような雰囲気の鉢植えとなりやすい。
【０００４】  そこで本願は、蘭の新たな雰囲気を持つ鉢植えを提供するために浅鉢（図１）を利用することを第１の目的とする。また、かかる目的を達成するために、蘭の根が鉢の表面より出過ぎないようにすることを第２の目的とする。
【課題を解決するための手段】
【０００５】  上記第１の目的を達するためになされた本考案の蘭の鉢植えには、今まで盆栽などに使用されてきた浅鉢を利用する。
【０００６】  また、上記第２の目的を達成するための本考案の鉢植えでは、浅鉢に植えつける前の生育初期段階から、ややかん水を多めにした栽培管理を行う。浅鉢に鉢上げし、開花までの栽培中は、粒のより細かな培土を利用し、やはりややかん水を多めにした栽培管理を行う。これにより、根が盛り上がりすぎて見た目を悪くする、ということはなくなり、浅鉢と蘭による新たな雰囲気を持つ鉢植えとなる。
【考案の効果】
【０００７】  本考案によれば、浅鉢を利用することで、蘭に利用できる鉢のバリエーションが広がり、豊富な鉢植えの仕立て方やアレンジメントが可能になる。床の間やリビング、テーブルの上に置くことができる、落ち着いた雰囲気や、シックなデザインの鉢植えも可能となり、今までの蘭の鉢植えに飽き足らない人々の希望をかなえることができる。浅鉢を利用することで、安定感も増し、鉢を倒してしまう危険も少なくなる。また、上部表面積が大きくなることから、従来の長鉢よりも培土が乾きやすくなり、根腐れしにくくなるという利点もある。
【図面の簡単な説明】
【０００８】
【図１】  従来の蘭の鉢植えを示した平面図である。
【図２】  浅鉢による蘭の鉢植えを示した平面図である。
【符号の説明】
【０００９】  １・・・浅鉢
２・・・直径
３・・・高さ
４・・・蘭
５・・・鉢表面より盛り上がった蘭の根
６・・・従来の長鉢
【図１】
0003125387.tif 000003
【図２】
0003125387.tif 000004
【手続補正書】
【提出日】平成18年3月3日(2006.3.3)
【手続補正１】
【補正対象書類名】実用新案登録請求の範囲
【補正対象項目名】請求項２
【補正方法】変更
【補正の内容】
【請求項２】
削除する。
【手続補正書】
【提出日】平成18年6月1日(2006.6.1)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
直径が高さの２倍以上とする浅鉢を蘭の植え込みに利用することを特徴とする鉢植え。